(57)【要約】【課題】ナイフ等を安定して置くことができる容器を提供すること。【解決手段】容器は、開口部２１が形成された容器本体２と、容器本体２に着脱自在に取り付けられ開口部２１を開閉する蓋体とを備え、容器本体２の開口部２１周りの本体側外周縁部２５には、ナイフ口形成用の切除片２７が設けられ、切除片２７は、本体側外周縁部２５に対し開口部２１の開口面と平行な連続部２７Ｂを介して傾倒自在に設けられている。切除片２７の一部を切除して連続部２７Ｂを残した状態にすることにより、連続部２７Ｂを介して傾倒させた切除片２７にてナイフの柄部分を支持でき、容器本体の本体側外周縁部にナイフを置いた場合に比べてナイフとの接触面積を大きくできるため、ナイフを安定して置くことができる。【選択図】図２
2017077361.tif 000002
【特許請求の範囲】
【請求項１】
開口部が形成された容器本体と、前記容器本体に着脱自在に取り付けられ前記開口部を開閉する蓋体とを備える容器であって、
前記容器本体の前記開口部周りの本体側外周縁部には、ナイフ口形成用の切除片が設けられ、
前記切除片は、前記本体側外周縁部に対し前記開口部の開口面と平行な連続部を介して傾倒自在に設けられる
ことを特徴とする容器。
【請求項２】
請求項１に記載の容器において、
前記容器本体の前記本体側外周縁部の下部には、当該容器本体の外方に向かって延出した鍔部が設けられ、
前記鍔部には、傾倒した前記切除片を保持する保持部が設けられる
ことを特徴とする容器。
【請求項３】
請求項１または請求項２に記載の容器において、
前記切除片の表面には、ナイフの柄部分の滑りを抑制する滑り抑制部が設けられる
ことを特徴とする容器。
【請求項４】
請求項１ないし請求項３のいずれか一項に記載の容器において、
前記容器本体の前記本体側外周縁部の下部における前記切除片に対応した位置には、当該容器本体の内方に向かって膨出した膨出部が設けられる
ことを特徴とする容器。
【請求項５】
請求項１ないし請求項４のいずれか一項に記載の容器において、
前記切除片は、複数箇所に設けられる
ことを特徴とする容器。
【発明の詳細な説明】
【技術分野】
【０００１】
本発明は、容器に関する。
【背景技術】
【０００２】
従来、バターや、マーガリン、ジャム、ヨーグルトなど、数回に分けて食するような内容物を収容する容器の蓋体として、内容物を掬うためのバターナイフ等のナイフ口を設けることが広く知られている。このようなナイフ口は一般的に、切除可能な切除片にて蓋体の外周縁部の一部を構成しておき、容器の開口部の開閉後に蓋体から切除片を取り除くことで形成される。また、容器本体の外周縁部には、そのようなナイフが挿入可能な切欠部が予め設けられている（例えば、特許文献１，２）。互いに対応した位置に設けられる容器本体の切欠部と蓋体のナイフ口とには、ナイフの柄部分が挿入されることとなり、こうすることで容器本体にナイフを入れたまま、蓋体を容器本体に対して着脱させることができ、容器の開口部を開閉させることが可能である。
【先行技術文献】
【特許文献】
【０００３】
【特許文献１】実開平２−９９７４９号公報
【特許文献２】実開平２−１４４５５５号公報
【発明の概要】
【発明が解決しようとする課題】
【０００４】
しかしながら、ナイフ口を蓋体または容器本体のいずれに設けた場合であっても、ナイフは容器の外周縁部に支持されるため、容器を開口した状態でナイフを安定して置いておくことが難しく、ナイフが柄部分ごと容器本体の内部に入り込んでしまって柄部分を汚す可能性があるという課題がある。
【０００５】
本発明の目的は、ナイフ等を安定して置くことができる容器を提供することにある。
【課題を解決するための手段】
【０００６】
本発明の容器は、開口部が形成された容器本体と、前記容器本体に着脱自在に取り付けられ前記開口部を開閉する蓋体とを備える容器であって、前記容器本体の前記開口部周りの本体側外周縁部には、ナイフ口形成用の切除片が設けられ、前記切除片は、前記本体側外周縁部に対し前記開口部の開口面と平行な連続部を介して傾倒自在に設けられることを特徴とする。
切除片の一部を切除して連続部を残した状態にすることにより、連続部を介して傾倒させた切除片にてナイフの柄部分を支持でき、容器本体の外周縁部にナイフを置いた場合に比べてナイフとの接触面積を大きくできるため、ナイフを安定して置くことができる。
【０００７】
前記容器本体の前記本体側外周縁部の下部には、当該容器本体の外方に向かって延出した鍔部が設けられ、前記鍔部には、傾倒した前記切除片を保持する保持部が設けられることが好ましい。
鍔部に保持部を設けると、傾倒させた切除片が弾性力等によって不用意に復帰することがなく、ナイフをより安定して置くことができる。
【０００８】
前記切除片の表面には、ナイフの柄部分の滑りを抑制する滑り抑制部が設けられることが好ましい。
傾倒させた切除片が容器本体に向かって下方に傾いた状態にあっても、滑り抑制部がナイフの柄部分の滑りを抑制するので、ナイフ全体が容器本体内に入り込んでしまうことを防止できる。
【０００９】
前記容器本体の前記本体側外周縁部の下部における前記切除片に対応した位置には、当該容器本体の内方に向かって膨出した膨出部が設けられることが好ましい。
切除片に対応した位置に容器本体の内方に膨出する膨出部を設けると、この膨出部を利用してもナイフの柄部分を置くことができ、ナイフをさらに安定して置くことができる。
【００１０】
前記切除片は、複数箇所に設けられることが好ましい。
例えば任意の一対の切除片を切除してナイフ口を形成した場合など、一方のナイフ口を利用してナイフの柄部分を置き、他方のナイフ口を利用してナイフの先端部分を置くことができ、ナイフの置き方を自由に選択できて容器として使い勝手を良好にできる。
【図面の簡単な説明】
【００１１】
【図１】本発明の第１実施形態に係る容器を示す全体斜視図。
【図２】容器本体に設けられた切除片を示す斜視図。
【図３】容器本体の切除片を傾倒させて保持させた状態を示す斜視図。
【図４】容器本体に形成されたナイフ口にナイフを置いた状態を示す斜視図。
【図５】本発明の第２実施形態に係る容器の切除片を示す斜視図。
【図６】本発明の第３実施形態に係る容器の切除片を示す側面図。
【図７】本発明の第４実施形態に係る容器の切除片を示す斜視図。
【図８】本発明の第５実施形態に係る容器の膨出部を示す斜視図。
【図９】本発明の第６実施形態に係る容器の容器本体を示す斜視図。
【図１０】第６実施形態の容器本体の使用例を示す平面図。
【発明を実施するための形態】
【００１２】
以下、本発明の各実施形態に係る容器について図面を参照して説明する。
なお、第２実施形態以降の説明において、第１実施形態と同一構成要素または同一機能要素については同一符号を付し、それらの説明を省略または簡略化する。
【００１３】
［第１実施形態］
図１から図４に基づいて第１実施形態に係る容器１を説明する。
図１には、容器１の全体斜視図が示されている。
容器１は、例えばマーガリンなど、数回に分けて食する内容物を収容する容器である。容器１は、上面に開口部２１が形成された有低筒状の容器本体２と、容器本体２に着脱可能に取り付けられ開口部２１を開閉する蓋体３とを備えている。容器本体２および蓋体３は、例えばポリエチレンやポリプロピレン、ポリスチレン、ＰＥＴ（ポリエチレンテレフタラート）などの樹脂原料により、射出成形にて形成される。以下、容器本体２および蓋体３について具体的に説明する。
【００１４】
（容器本体の説明）
容器本体２は、平面視にて略長方形で四隅が円弧状の底板部２２（図９参照）と、底板部の外周縁に鉛直方向の上方に向けて拡径するように屈曲形成された側板部２３と、側板部２３の上端縁から外方に向けて延出した鍔部２４と、鍔部２４の上面から上方に向けて立設された本体側外周縁部２５とを備えている。
【００１５】
このうち本体側外周縁部２５は、開口部２１周りにて周方向に沿って所定の高さで連続して設けられ、この本体側外周縁部２５の下部側にて前記鍔部２４が形成されている。本体側外周縁部２５の外周面には、四隅に位置して外方に突出する係止爪部２６が設けられている。本体側外周縁部２５の一方の短手側の略中央には、後述のナイフ口２９（図３、図４参照）を形成するための切除片２７が設けられている。
【００１６】
（切除片およびナイフ口の説明）
図２には、切除片２７が拡大して示されている。
図２において、切除片２７は、本体側外周縁部２５の高さ方向にわたって所定幅で設けられている。より具体的に切除片２７は、本体側外周縁部２５の内面側から外面に向けて鉛直に切り欠かれた略Ｖ溝状の一対の切断溝２７Ａと、鍔部２４および本体側外周縁部２５の境界位置にて当該所定幅にわたって外面側から内面側に向けて窪んだ浅溝状の連続部２７Ｂとにより囲まれた領域として区画される。
【００１７】
ここで、鍔部２４の上面には、切除片２７が設けられた位置に対応して保持部２８が設けられている。保持部２８は、鍔部２４の内縁側から外縁側に向けて延出し、かつ上方に突出した一対の突条部２８Ａ，２８Ａにより構成されている。これらの突条部２８Ａは、切除片２７の幅寸法よりも僅かに短い距離で離間している。
【００１８】
このような切除片２７は、内面側から外面側に向かって押圧されると、切断溝２７Ａ部分から本体側外周縁部２５の他の部分と切り離されるとともに、開口部２１の開口面と平行な連続部２７Ｂ部分にて折り曲げられ、図３に示すように、鍔部２４上に傾倒する。このことにより、容器本体２の本体側外周縁部２５にナイフ口２９が形成される。この際、倒し込まれた切除片２７は、保持部２８の一対の突条部２８Ａ間に挟み込まれ、もとの状態に復帰しようとする弾性力に抗して保持部２８で保持される。
【００１９】
そして、傾倒した状態に保持された切除片２７では、上方に向いた平坦面がナイフＫ（図４参照）の柄部分の支持面となる。このため、ナイフＫの柄部分を切除片２７上に支持させることで、ナイフＫを傾いたりせずに安定して置くことができる。
【００２０】
また、切除片２７の一部を切り離したり、連続部２７Ｂから折曲させたりして形成されたナイフ口２９は、消費者が使用するにあたって初めて形成される。従って、工場出荷から使用者に渡るまでの間にナイフ口２９から異物が混入することを防止できる。
【００２１】
（蓋体の説明）
一方、図１に戻って、蓋体３は、平面視にて略長方形で四隅が円弧状とされて開口部２１を覆う天板部３１と、天板部３１の外周縁から下方に向けて屈曲形成された蓋側外周縁部３２とを有し、下方に開口するドーム状とされる。
【００２２】
このうちの蓋側外周縁部３２において、蓋体３が容器本体２に取り付けられた状態では、蓋側外周縁部３２が本体側外周縁部２５の外方側に重なるように位置し、蓋側外周縁部３２の下端縁が容器本体２の鍔部２４の上面と当接する。蓋側外周縁部３２の内面には、容器本体２の係止爪部２６に係脱自在とされた図示しない係合爪部が設けられている。蓋側外周縁部３２と天板部３１とには、蓋体３を補強するための図示しないリブが設けられていてもよい。
【００２３】
（切欠部の説明）
蓋側外周縁部３２の短辺側の中央位置には、下方に開口するように下端縁から上方に向けて切り欠かれた切欠部３３が容器本体２の切除片２７の位置に対応して設けられている。切欠部３３は、蓋側外周縁部３２の高さ寸法の約１／３程度の高さまで切り欠かれており、従来の蓋体に設けられるナイフ口よりも高さを低くすることができる。
【００２４】
また、切欠部３３の幅方向両側の二隅は大きな円弧状とされ、天板部３１に外圧が作用しても、隅部分に応力が集中することがない。切欠部３３の幅寸法は、容器本体２のナイフ口２９の幅寸法と同程度か、わずかに大きい程度である。
【００２５】
このような切欠部３３は、天板部３１に上方から衝撃等の外圧がかかった際に、当該天板部３１の平面方向の変位を許容することができる。
【００２６】
切欠部３３が設けられた蓋体３では、天板部３１に上方から外圧がかかると、各辺の切欠部３３は上方から押圧され、下方に向かってより大きく拡開するように変形する。そして、図１中に矢印で示すように、切欠部３３の変形を伴いながら、蓋側外周縁部３２が切欠部３３を中心に各辺に沿って離間するように変形する。加えて、切欠部３３周りにおいて蓋側外周縁部３２は、外方に向かって押し広げられるように変形する。これらの変形により、天板部３１に加わる外圧が分散され、蓋体３の耐衝撃性を向上させることができる。
【００２７】
切欠部３３は、ナイフ口２９に置かれたナイフＫ（図４参照）をそのナイフ口２９との間で挟み込むようになっており、ナイフＫをナイフ口２９に挿入した状態のまま、蓋体３を容器本体２に安定して取り付けることが可能である。従って、ナイフＫを容器本体２内に入り込み難くでき、その柄部分が内容物で汚れることを防止できる。
【００２８】
なお、本実施形態では、切欠部３３が容器本体２の切除片２７の位置に対応して１つのみ設けた例を示したが、切欠部３３としては、両方の短辺側に設けられていてもよいし、これに加えて、両方の長辺側に設けられてもよい。特に、切欠部３３が蓋体３の各長辺側および各短辺側といった四方位置に設けられている場合には、蓋体３の天板部３１のより多様な平面方向への変位を許容でき、耐衝撃性を一層向上させることができる。
【００２９】
（実施形態の効果）
以上に説明した実施形態の容器１によれば、ナイフＫ等を容器本体２に安定して置くことができる。
【００３０】
［第２実施形態］
図５には、本発明の第２実施形態が示されている。
図５において、 切除片２７は、上下方向の途中まで切り裂かれて折り曲げられる上側の第１切除片２７１と、第１切除片２７１の下部側に設けられた下側の第２切除片２７２とで構成される。従って、連続部２７Ｂとしては、第１実施形態と同様な下端側の第２連続部２７２Ｂに加え、一対の切断溝２７Ａの上下方向の途中間に設けられた第１連続部２７１Ｂを有している。
【００３１】
本実施形態では、切除片２７の第１切除片２７１のみを切断溝２７Ａの途中まで切断し、第１連続部２７１Ｂを介して傾倒させたり、第１、第２切除片２７１，２７２を合わせた切除片２７全体を切断溝２７Ａに沿って切断して、第２連続部２７２Ｂを介して傾倒させたりする。例えば、内容物の残量に応じて、ナイフの置き位置を変更でき、容器としての使い勝手を向上させることができる。
【００３２】
［第３実施形態］
図６には、本発明の第３実施形態が示されている。
図６において、本実施形態では、切除片２７の第２切除片２７２の幅寸法が第１切除片２７１よりも小さい。よって、切断溝２７Ａとしても、第１切除片２７１に対応した第１切断溝２７１Ａと、第２切除片２７２に対応した第２切断溝２７２Ａとで構成される。その他の構成は、第２実施形態と同様である。
【００３３】
このような本実施形態では、内容物の残量、あるいは図示しないナイフの幅寸法に応じて第１切除片２７１のみを切除するか、第２切除片２７２を含む切除片２７全体を切除することで、第２実施形態とは構成が異なるが、やはり容器としての使い勝手を向上させることができる。
【００３４】
［第４実施形態］
図７には、本発明の第４実施形態が示されている。
図７に示すように、本実施形態では、傾倒前の切除片２７の内面、すなわち傾倒後の切除片２７の表面には、幅方向に延設された突条の滑り抑制部２７Ｃが互いに平行に複数並設されている。
【００３５】
本実施形態によれば、切除片２７には滑り抑制部２７Ｃが設けられているため、切除片２７を斜めに傾倒させた状態で、図示しないナイフを切除片２７に置いても、ナイフの柄部分が滑り落ちる心配がなく、ナイフが容器本体２内に滑って入り込んでしまうことを抑制できる。２７Ｃの表面は、シボ加工の他、エンボス、突起、など滑り落ちることを抑制する効果のある形状や、ゴム素材や毛状素材等の張付等からなる。
【００３６】
［第５実施形態］
図８には、本発明の第５実施形態が示されている。
図８に示すように、本実施形態では、容器本体２の鍔部２４の内縁側であって、本体側外周縁部２５の下部における切除片２７に対応した位置には、容器本体２の内方に向かって膨出した膨出部４１が設けられている。膨出部４１の上面は、開口部２１の開口面と平行な平坦面として形成され、傾倒された切除片２７の上面とは面一となって連続する。
【００３７】
本実施形態によれば、切除片２７に対応した膨出部４１が容器本体２の内方に膨出して設けられているので、切除片２７だけではなく、当該膨出部４１の上面にわたって図示しないナイフの柄部分を載置することができ、より安定した状態にナイフを置くことができる。
【００３８】
［第６実施形態］
図９および図１０には、本発明の第６実施形態が示されている。
図９において、容器本体２の本体側外周縁部２５には、各短辺側に１つずつ、各長編側に２つずつ、合計６つの切除片２７が設けられている。ただし、切除片２７としては、複数箇所に設けられればよく、２つ以上であればよい。また、切除片２７が設けられる位置も、一対ずつ開口部２１を挟んで対向して設けられている必要はなく、任意である。さらに、それらの切除片２７は、全て傾倒させた状態とし、その中で任意の２つを選択して用いてもよいし、適宜な位置の一対の切除片２７のみを傾倒させて用いてもよい。
【００３９】
図１０には、ナイフＫを置くにあたって、適宜な位置の一対の切除片２７のみを傾倒させて用いた場合が示されている。図１０（Ａ）では、一短辺側の切除片２７と、これに近い位置にある一長辺側の切除片２７を傾倒させて用いられている。図１０（Ｂ）では、開口部２１を挟んで対向する位置にある各長辺側の一対の切除片２７を傾倒させて用いられている。
【００４０】
図１０（Ｃ）では、各長辺側に設けられた切除片２７のうち、互いに対向しない対角上にある一対の切除片２７を傾倒させて用いられている。図１０（Ｄ）では、一短辺側の切除片２７と、これに遠い位置にある一長辺側の切除片２７を傾倒させて用いられている。図１０（Ｅ）では、開口部２１を挟んで対向する位置にある各短辺側の一対の切除片２７を傾倒させて用いられている。
【００４１】
本実施形態によれば、一対の切除片２７を傾倒させて形成されるナイフ口２９を利用することで、一方のナイフ口２９を利用してナイフＫの柄部分を置き、他方のナイフ口２９を利用してナイフＫの先端部分を置くことができ、ナイフＫの長さや重心位置に応じてナイフＫの置き方を自由に選択でき、容器としての使い勝手を一層向上させることができる。
【００４２】
なお、本発明は、上述した各実施形態に限定されるものではなく、本発明の目的を達成できる範囲での変形例等は、本発明に含まれる。
例えば第２実施形態以降では、保持部が設けられていない例を挙げて説明したが、第２実施形態以降の各実施形態においても、切除片２７全体を傾倒した場合に当該切除片２７を保持する保持部２８を、第１実施形態と同様に鍔部２４に設けてもよい。
つまり、各実施形態の特徴的な構成は、任意に組み合わせて用いられてよく、どのような構成を組み合わせるかは、その実施にあたって適宜決められてよい。
【００４３】
第６実施形態では、合計６つの切除片２７が設けられ、そのうちの任意の２つを選択して用いることを例に説明したが、複数の切除片２７が設けられていたとしても、他の実施形態と同様、１つの切除片２７のみを傾倒させて使用してもよい。つまり、一対の切除片２７を傾倒させて用いるか否かは、使用者の自由である。
【００４４】
各実施形態では、容器１に収容する内容物として、マーガリンなどの粘性を有する食材としたが、内容物としてはこれに限定されない。
【００４５】
各実施形態では、容器本体２および蓋体３の平面視した形状が矩形であるとして説明したが、正方形であってもよく、三角形や、五角以上の多角形、あるいは円形であってもよい。
【００４６】
各実施形態では、切除片２７が連続部２７Ｂによって完全には容器本体２から切り離されないとして説明したが、連続部２７Ｂの代わりに切断溝を適用し、切除片を容器本体から完全に切り離し可能に構成してもよい。
【産業上の利用可能性】
【００４７】
本発明は、マーガリン等を収容する容器に適用できる。
【符号の説明】
【００４８】
１…容器、２…容器本体、３…蓋体、２１…開口部、２４…鍔部、２５…本体側外周縁部、２７…切除片、２７Ｂ…連続部、２７Ｃ…滑り抑制部、２８…保持部、２９…ナイフ口、３１…天板部、３２…蓋側外周縁部、３３…切欠部、４１…膨出部、Ｋ…ナイフ。
【図１】
2017077361.tif 000003
【図２】
2017077361.tif 000004
【図３】
2017077361.tif 000005
【図４】
2017077361.tif 000006
【図５】
2017077361.tif 000007
【図６】
2017077361.tif 000008
【図７】
2017077361.tif 000009
【図８】
2017077361.tif 000010
【図９】
2017077361.tif 000011
【図１０】
2017077361.tif 000012